(57)【要約】【課題】ラッチの係止解除機構を小さな操作部材の操作により作動させることができること。小さな操作部材を所定位置でロックすることができること。【解決手段】建具としての扉の空洞部に収納され、かつフロント板から突出するラッチ及び該ラッチ用の係止解除機構を構成する作動レバー部材を備えた錠箱と、扉の壁面に固定手段を介して固定される座板と、該座板に設けられかつ錠箱に形成した貫通窓を介して該錠箱内へと延伸すると共に、作動レバー部材を押圧することができる操作部材の挿入駆動片とを含むラッチ錠におけるラッチの係止解除機構に於いて、操作部材は前記座板よりも小型であり、しかも、座板にスライド自在に設けられた摘み板であり、また挿入駆動片は、その取付け基板が前記摘み板の裏側に一体的に設けられ或は一体成形され、さらに座板７の裏面には裏板が固定的に設けられており、該裏板と前記操作部材に亘って操作部材用のロック手段が組み込まれていること。【選択図】図６
2009209638.tif 000002
【特許請求の範囲】
【請求項１】
建具としての扉の空洞部に収納され、かつフロント板から突出するラッチ及び該ラッチ用の係止解除機構を構成する作動レバー部材を備えた錠箱と、前記扉の壁面に固定手段を介して固定される座板と、該座板に設けられかつ前記錠箱に形成した貫通窓を介して該錠箱内へと延伸すると共に、前記作動レバー部材を押圧することができる操作部材の挿入駆動片とを含むラッチ錠におけるラッチの係止解除機構に於いて、前記操作部材は前記座板よりも小型であり、しかも、座板にスライド自在に設けられた摘み板であり、また、前記挿入駆動片は、その取付け基板が前記摘み板の裏側に一体的に設けられ或は一体成形され、さらに、前記座板７の裏面には裏板が固定的に設けられており、該裏板と前記操作部材に亘って操作部材用のロック手段が組み込まれていることを特徴とするラッチ錠におけるラッチの係止解除機構。
【請求項２】
請求項１に於いて、操作部材用のロック手段は、操作部材に形成された収納穴に内装されたロッキングバネと、該ロッキングバネのバネ力により裏板に形成された複数個のロック穴に係脱する球体形状の係合子とから成り、前記係合子は、操作部材を指で摘んで直線方向へ操作すると、前記ロック穴に選択的に係合することを特徴とするラッチ錠におけるラッチの係止解除機構。
【請求項３】
請求項１に於いて、操作部材用のロック手段は、操作部材に形成された断面段差状の貫通収納穴に内装されていると共に、その外端部が操作部材の外面から突出し、一方、その内端部は裏板に形成された互いに連通状態の複数個のロック穴に係脱する棒状の係合子と、この係合子を常時ロックする状態に付勢するロッキングバネから成り、操作部材の操作時、前記係合子の外端部を前記ロッキングバネのバネ力に抗して指で押し込むと、係合子の内端部と裏板のロック穴とのロック状態が解除されることを特徴とするラッチ錠におけるラッチの係止解除機構。
【請求項４】
請求項１に於いて、操作部材用のロック手段は、操作部材の交差状態に貫通形成された収納穴に内装されていると共に、その外端部が前記収納穴内に位置し、一方、その内端部は裏板に形成された互いに連通状態の複数個のロック穴に係脱する係合子と、この係合子を常時ロックする状態に付勢するロッキングバネと、前記外端部を押し込むことができるように操作部材に軸支された操作レバーとから成り、操作部材の操作時、前記操作レバーの露出端部を前記ロッキングバネのバネ力に抗して指で押し込むと、係合子の内端部と裏板のロック穴とのロック状態が解除されることを特徴とするラッチ錠におけるラッチの係止解除機構。
【請求項５】
請求項１に於いて、操作部材用のロック手段は、操作部材に形成された貫通状の収納穴に内装されていると共に、その外端部が前記収納穴の奥の内壁に圧接するように位置し、一方、その内端部は裏板に形成された互いに連通状態の複数個のロック穴に係脱する係合子と、この係合子を常時ロックする状態に付勢するロッキングバネとから成り、操作部材の操作時、前記係合子の露出端部を前記ロッキングバネのバネ力に抗して指で押し込むと、係合子の内端部と裏板のロック穴とのロック状態が解除されることを特徴とするラッチ錠におけるラッチの係止解除機構。
【発明の詳細な説明】
【技術分野】
【０００１】
本発明は、ラッチ錠におけるラッチの係止解除機構に関する。
【背景技術】
【０００２】
特許文献１及び特許文献２には、扉の内外の壁面にそれぞれ突出して設けられた板状や棒状形状のプッシュ・プルハンドル（操作部材）を押す、又は手前に引くと、該ハンドルの操作力によって、錠箱に内装されたラッチ用の係止解除機構がラッチの係止を解く方向へと作動する旨が記載されている。例えば特許文献２は、出願人が提案したものであるが、該特許文献２には、「手動式操作バーの操作に基づいて作動すると共に、係合部材３０に係合する従動係合片３３を含むラッチ装置を備えた錠箱３に配設された電気式駆動源１５と、この電気式駆動源の作動杆１７に支軸２６を介して連結され、かつ錠箱に横設軸架された横軸２７に軸支されたアーム状制御部材２０と、前記横軸２７に軸支され、かつアーム状制御部材２０の先端部２３と係合する被係合部３５を有すると共に、仮施錠時にラッチ６を係止する係止部３４を有する前記係合部材３０と、この係合部材３０をラッチ６と係合する方向へ常時付勢する付勢バネ３９とを備えているラッチの自動係止解除機構」が記載されている（符号は特許文献２のもの）。
【０００３】
また特許文献３の図２８等には、収納空間を有するハウジング２１１と、このハウジング２１１の内壁底面側に少なくとも後端部側が収納されかつ突出先端部に係合爪を有するスライド爪２１６と、このスライド爪２１６を延伸位置から収縮位置に移動するために該ハウジングに対して摺動できるように差し込まれたアクチュエータ手段２１３とを備えた係止スライドラッチ２００が記載されている。
【０００４】
すなわち、特許文献２に記載の係止スライドラッチは、例えば自動車のドアの凹所に設けられ、前記ハウジング２１１と、該ハウジングに対して延伸位置と収縮位置との間を移動するようにハウジングに取付けられた爪２１６と、該爪を延伸位置にせしめるような爪とハウジングとの間の付勢手段と、ハウジングに対して摺動でき且つ爪に嵌合されて、該爪を収縮位置に移動させると、アクチュエータ手段２１３に固定された係止部分とを具備する係止スライドラッチが記載されている（符号は特許文献３のもの）。しかし、特許文献２の係止スライドラッチは、建具としての扉の空洞部に収納されたラッチ錠に関するものではなく、構造も複雑である。つまり、特許文献２に記載の実施例は、発明の技術的分野が異なる。
【特許文献１】特開１０−３１１１７３号公報
【特許文献２】特開２００３−７４２４５号公報
【特許文献３】特表２０００−５１０２１１号公報
【発明の開示】
【発明が解決しようとする課題】
【０００５】
特許文献１及び特許文献２に記載のラッチ錠は、ハンドルが、例えばプッシュ・プルハンドル方式であるため、ラッチの自動係止解除機構を作動させるためには、どうしても、座に対して装着する操作部材を片手で握ることができるような大きさにする必要がある。
ところで、扉にラッチ錠を取付けた場合に於いて、ラッチの施錠状態を手動で解除状態にする場合、必ずしもプッシュ・プルハンドルである必要はなく、手動式解錠手段としての操作部材は他の方式であっても良い。
【０００６】
特に、ラッチ錠を取付けた扉が、スマートキー（登録商標）と称される電子キーを用いた非接触型の自動扉である場合には、ラッチの係止解除機構を手動で作動させる操作部材は、扉の外観性の向上、突起物の排除等の理由から、極力「小型化」するのが望まれる。
そこで、本願発明の所期の目的は、前記操作部材を扉の壁面から著しく突出させず、望ましくは、扉の壁面に固定される座よりも小型であって、しかも座の表面から著しく突出しないものを採用することができることである。また、本願発明の第２の目的は、操作性が良いと共に、座に対する取付けも容易であることである。そして、本願発明のさらなる目的は、操作部材をスライドした所定位置で、それぞれ係止状態にロックすることができることである。
【課題を解決するための手段】
【０００７】
本発明のラッチ錠におけるラッチの係止解除機構は、建具としての扉の空洞部に収納され、かつフロント板から突出するラッチ及び該ラッチ用の係止解除機構を構成する作動レバー部材を備えた錠箱と、前記扉の壁面に固定手段を介して固定される座板と、該座板に設けられかつ前記錠箱に形成した貫通窓を介して該錠箱内へと延伸すると共に、前記作動レバー部材を押圧することができる操作部材の挿入駆動片とを含むラッチ錠におけるラッチの係止解除機構に於いて、前記操作部材は前記座板よりも小型であり、しかも、座板にスライド自在に設けられた摘み板であり、また、前記挿入駆動片は、その取付け基板が前記摘み板の裏側に一体的に設けられ或は一体成形され、さらに、前記座板７の裏面には裏板が固定的に設けられており、該裏板と前記操作部材に亘って操作部材用のロック手段が組み込まれていることを特徴とする。
【発明の効果】
【０００８】
（ａ）ラッチの係止解除機構を小型の操作部材で作動させることができる。
（ｂ）操作部材が小さいので、扉の外観性の向上に寄与することができると共に、例えば車椅子に乗って部屋を出入りする場合には、ラッチ用の係止解除機構の作動レバー部材を作動させる操作部材は、座板から（著しく）突出しないので、邪魔にならない。
（ｃ）操作部材がスライド摘み板方式なので、操作性が良い。また、部品点数も少ないので、座に簡単に取付けることができる。
（ｄ）座板の裏側に、裏板（摘み板抜け防止用の取付け支持板）を設けたので、座板から裏板に亘って操作部材用のロック手段を組み込むことができる。
（ｅ）操作部材をスライドした所定位置で、それぞれ係止状態にロックすることができる。例えば操作部材を指で摘んで水平方向へとスライドさせ、ラッチ錠の施錠状態に相当する初期位置と解錠状態に相当する移動した位置で、それぞれ係止状態にロックすることができる。
（ｆ）操作部材を指で摘む際に、指の操作のみで、簡単に操作部材用のロック手段のロックを解くことができる。
【発明を実施するための最良の形態】
【０００９】
以下、図１乃至図１０に示す本発明を実施するための最良の形態（第１実施例）により説明する。
【００１０】
（１）発明の実施の環境
図１は発明の実施の環境を示す概略説明図で、扉の外壁面側から見た説明図である。この図１に於いて、１は矩形枠状の扉枠で、この扉枠１の戸先と対向する縦枠の中央部には、周知のように受け具２が固定されている。３は扉枠１に蝶番４を介して開閉可能に取付けられた扉（例えば玄関、室内等の開き戸）で、この扉３の自由端部の中央部には、ラッチ錠５が取付けられている。ラッチ錠５は、例えば手動式又は／及び電気式の錠前である。
【００１１】
電気式の錠前は、当業者の間では「電気錠」と称されている。手動式のラッチ錠５であれ、又は電気式のラッチ錠５であれ、本実施例のラッチ錠５は、「建具としての扉３の空洞部に収納され、かつフロント板から突出するラッチ１０及び該ラッチ用の係止解除機構Ｘを構成する作動レバー部材４０（後述）を備えた錠箱６と、前記扉３の壁面３ａに固定手段を介して固定される座板７と、前記錠箱６の幅広側壁に形成した貫通窓６ａを介して該錠箱内へと延伸すると共に、前記作動レバー部材を押圧することができる操作部材８の挿入駆動片９（後述）とを含む。」
（２）ラッチの係止解除機構Ｘ
図２は、電気式のラッチ錠５の一例を示す概略説明図で、この電気式ラッチ錠５は、電気式駆動源１５の駆動力又は操作部材８の操作力のいずれであっても、ラッチの係止解除機構Ｘが作動する。本実施例では、少なくとも操作部材８の操作力に基づいてラッチの係止解除機構Ｘが作動することが条件である。
【００１２】
まず、図２を参照にして、ラッチの係止解除機構Ｘを説明する。３は扉、５ラッチ錠、６はラッチ錠の横長状の錠箱、１０はラッチである。前記錠箱６の幅広側壁の中央部の上部寄りの部位と下部寄りの部位には、上下一対の貫通窓６ａがそれぞれ横長矩形状に形成されている。これらの貫通窓６ａには、後述する操作部材８の挿入駆動片９が貫通状態に入り込む。
【００１３】
また前記ラッチ１０は、不番のフロント板を基準に進退動し、扉枠１の受け具２と係合する。ここでのラッチ１０は、錠箱６の内部へそのままストレートに後退するもの（普通一般に、「ラッチ」と称されている。）、多少所要角度まで水平回転（反転）しながら後退するもの（「反転ラッチ」と称されている。）如何を問わず、扉枠側に突出してストライク２に係合するものは、全て含まれる。ラッチ１０の形態については特に図示しないが、本実施例では反転ラッチ（その一例は、特公平２−５５５９１に開示されている。）が採用されている。
【００１４】
ここで、ラッチ１０の構成について簡単に説明する。１０ａは受け具２の開口縁と摺接する垂直状態の衝止面である。１０ｂは、ラッチ１０の上下面からそれぞれ突出する小突起部で、これらの小突起部１０ｂはラッチの回転軸としての機能を有する。１０ｃはラッチの被係合面を有する後端部で、この後端部１０ｃには不番のラッチバネの先端部を支持する収納部が形成されている。
【００１５】
なお、本実施例では、説明の便宜上、前記小突起部１０ｂを基準として前側をラッチの先端部、後側をラッチの後端部として説明するが、ラッチの先端部とラッチの後端部とをそれぞれ別体にし、ラッチの後端部をラッチに連動するスライダー部材にしても良い。
【００１６】
次に１１は、錠箱６内の先端部に固定的に配設された断面コ字型のラッチ用支持枠で、この支持枠１１の下壁には、ラッチの進退動方向に切欠部１２が形成されている。
次に１５は、錠箱６内の後端部に固定的に配設された電気式駆動源としてのソレノイドである。このソレノイド１５は、例えば錠箱６の上壁に縦方向に外付けしても良い。もちろん、錠箱６の後壁に横方向に外付けすることも可能である。
【００１７】
本実施例では、ソレノイド１５は錠箱６内の縦断面垂直の取付け板１６に縦方向に固定され、その作動杆１７の先端部は下方に指向している。１８は作動杆１７に巻装され、かつ作動杆１７を常時伸長方向に付勢するバネである。したがって、作動杆１７はこのバネ１８のバネ力に抗して収縮する。
【００１８】
ところで、ラッチ錠５が、電気錠である場合には、電気式駆動源１５は当然として、適宜に選択された後述の作動レバー部材４０、該作動レバー部材の作動プレート４２によって押圧される従動係合部材３６、アーム状の制御部材２０、ラッチと係脱する係合部材３０等が発明の特定要件（必須要件）と成る。
【００１９】
しかしながら、ラッチ錠５が少なくとも操作部材８の操作力に基づいてラッチ１０用の係止解除機構Ｘが作動することが条件である場合には、前記電気式駆動源１５は発明の特定要件ではない。そこで、ラッチ用の係止解除機構Ｘを構成する各部材を説明する。
【００２０】
（３）ラッチ用の係止解除機構Ｘ−電動式の場合
電気式駆動源１５が発明の特定要件（必須要件）と成る場合には、設計如何によっては、電気式駆動源１５の駆動力により固定軸４１を支点に所要量回転する左右一組の作動レバー部材４０と、これらの作動レバー部材４０をそれぞれ構成するレバープレート４２に押圧され、かつ錠箱６内の上方に位置する固定軸３５を支点に所要量回転する従動係合片３６と、該従動係合片３６に押圧され、かつ錠箱６内の下方に位置する固定軸２７を支点に所要量回転するラッチ用の係合部材３０がラッチの係止解除機構Ｘを構成する。
【００２１】
しかし、本実施例のラッチ用の係止解除機構Ｘは、電気式駆動源１５の駆動力により固定軸（横軸）２７を支点に所要量回転するアーム状の制御部材２０と、このアーム状の制御部材２０の押圧力によって、かつ前記固定軸２７を支点に所要量回転する前記ラッチ用係合部材３０との組み合わせで構成されている。そこで、まず、これらの部材（制御部材２０，係合部材３０）の構成を説明する。なお、細部的事項の符号は割愛する。
【００２２】
図２を基準にして、まず、アーム状の制御部材２０を説明する。２１は後端部、２２は後端部から垂直状に延び、かつ軸孔を有する枢支部である。一方、２３は指先状の先端部である。しかして、先端部寄りの幅広部位には不番の軸孔が形成されている。また、指先状先端部２３と後端部２１には下向きコ字状の中間部２５が連設し、該中間部２５の下方には、前述した錠箱の貫通窓６ａと、該貫通窓６ａに嵌挿された操作部材８の挿入駆動片９の駆動腕９ｂ（ハッチング箇所）が見える。なお、中間部２５は、錠箱６に形成した貫通窓６ａから入り込む操作部材８側の駆動腕９ｂの位置を考慮し、下向きコ字状に形成してある。また、後端部２１と中間部２５との連設部は任意に折曲形成されている。
【００２３】
しかして、アーム状制御部材２０の後端部２１は、例えば駆動源側の枢支軸２６を介して作動杆１７に連結されている。またその先端部２３は、錠箱６に横設軸架した横軸２７に軸支されている。したがって、アーム状制御部材２０は作動杆１７に引っ張られると、横軸２７を支点に回転するので、制御部材２０は、別体のラッチ用の係合部材３０との関係では、制御機能或いはリリース機能を発揮する。
【００２４】
次に、図２を基準にして、ラッチ１０と係脱する係合部材３０を説明する。３１はアングル状の受け壁で、この受け壁３１は親指状に垂直方向へ延在する第１被押圧部及び水平方向へ延在する第２被押圧部を有している。そして、その中央部には、前述した横軸２７が貫通する不番の軸孔が形成されている。
【００２５】
しかして、係合部材３０の第１被押圧部には、上端部が固定軸３５を介して軸支された従動係合片３６の下端部の不番押圧部が接触状態に係合する。一方、係合部材３０の第２被押圧部の内壁上面には、アーム状制御部材２０の先端部２３が乗っかるように係合する。
【００２６】
前記受け壁３１の第１被押圧部の先端部には、前述したラッチ用支持枠１１の切欠部１２から入り込んでラッチ１０の後端部と係合する突片状のストッパー部３２が設けられている。
【００２７】
さらに、本実施例では、ラッチ１０と係合部材３０との係合、離脱（係止解除）関係をスムースになさんとする目的で、錠箱６の内壁を滑動する少なくとも１個の不番ローラが設けられている。なお、３７は横軸２７に巻装され、かつ係合部材３０を常時ラッチ１０に係合する方向に付勢する付勢バネである。
【００２８】
上記構成に於いて、図２は係合部材３０がラッチ６を係止している施錠状態の説明図である。この場合作動杆１７が下方方向に伸長しているので、外観上、蛇のように延びたアーム状制御部材２０の後端部２１と先端部２３とはバランスを保って略水平状態である。この時、係合部材３０のストッパー部３２は、支持枠１１に突出し、ラッチ１０に対するストッパー機能を発揮している。それ故に、ラッチ１０は後退することができない。
【００２９】
そこで、電気式駆動源１５の駆動力により、作動杆１７が上方方向に収縮すると、アーム状制御部材２０は、横軸２７を支点に反時計方向へと回転する。その結果、制御部材２０は傾倒し、係合部材３０のストッパー部３２は、支持枠１１の切欠部１２へと引っ込む。それ故に、ラッチ１０は不番のラッチバネのバネ力に抗して後退する（電動式でラッチの係止を解除）。
【００３０】
（４）ラッチ用の係止解除機構Ｘ−手動式の場合
ラッチ用の係止解除機構Ｘが手動式の場合は、図３で示すように、例えば従動係合片３６の後方に配設され、かつ直線方向（例えば水平方向）へとスライド移動する操作部材８の挿入駆動片の駆動腕９ｂの駆動力（押圧力）によって所要量回転する作動レバー部材４０と、この作動レバー部材のプレート４２に押圧され、かつ上方固定軸３５を支点に所要量回転する従動係合片３６と、該従動係合片３６に押圧され、かつ下方固定軸（横軸）２７を支点に所要量回転するラッチ用係合部材３０がラッチ１０用の係止解除機構Ｘを構成する。
【００３１】
前記作動レバー部材４０に関して、図２では仮想線で示し、一方、図３では実線で示してある。作動レバー部材４０の構成自体は公知事項（例えば特開２００３−７４２５６号公報）なので簡単に説明する。
【００３２】
作動レバー部材４０は、錠箱６の中央部に所定間隔離間して設けられた左右一対の支軸４１に互いに対向するように軸支された左右一組の横向きＴ字形状にそれぞれ組み合わせられた複数枚（全部で４枚）のレバープレート４２、４２で構成されている。これらのレバープレート４２の対向側の上下端部４２ａは、それぞれ操作部材８の挿入駆動片９の駆動腕９ｂを受ける受け部分の役割を果たす。
【００３３】
これに対して、作動レバー部材４０の左側のレバープレート４２の非対向側の側壁には、従動係合片３６及び係合部材３０の各被押圧部にそれぞれ当接係合する不番の突起状押圧部が設けられている。
【００３４】
上記構成に於いて、例えば上方に位置する操作部材としての摘み板８のいずれかを指で摘んで所定方向（図２、図３では左側水平方向）にスライドさせると、左側のレバープレート４２は左側の支軸４１を支点にして傾倒状態に回転することから、従動係合片３６及び係合部材３０がラッチ１０の係止状態を解く方向へと回転する（手動式でラッチの係止を解除）。なお、下方に位置する操作部材としての摘み板８のみを動かす実施例の場合には、前記従動係合片３６は不要である。
【００３５】
（５）特別な技術的特徴
操作部材としての摘み板８は、扉３の壁面に切欠開口５０を介して固定的に嵌め込まれる丸形状、四角形状等の座板７よりも小型であり、しかも、例えば外側の座板７に形成した案内開口５１にスライド自在に設けられた摘み板であり、該摘み板の摘み部分８ｂは前記座板７の表面から著しく突出せず（望ましくは突出せず）、さらに、前記摘み板８に設けた挿入駆動片９は、その取付け基板９ａが前記摘み板８の裏側に一体的に設けられ或は一体成形され、該取付け基板９ａに交差する挿入駆動腕９ｂは、ラッチ用の係止解除機構Ｘを構成する作動レバー部材４０を押圧できるように延伸している（本発明の特別な技術的特徴）。
【００３６】
そこで、図４乃至図１１を参照にして、本発明の第１実施例の特別な技術的特徴を説明する。図４は、図１の主要部を拡大した正面図、図５は図４の５−５線断面概略説明図、図６は図４の６−６線断面概略説明図である。
【００３７】
図５及び図６から明らかなように、図面上左側に描かれている室外側の座板７と、図面上右側に描かれている室内側の座板７Ａ及びこれらの座板７、７Ａにそれぞれスライド自在に組み込まれた操作部材８は同一構成なので、各部材７、７Ａ、８の説明に当たっては、説明の便宜上同一の用語と符号を用いる。ここでは室外側の座板７と操作部材８を主に説明し、室内側の座板７Ａと操作部材８の説明は、室外側の座板７等の説明を援用する。
【００３８】
さて、図４は座板７の正面図、一方、図７は座板７の背面図である。図７の背面図では、裏板が仮想線で示されていると共に、操作部材８並びに挿入駆動片９の裏側が見える。本実施例の座板７（座板７Ａも同じ）は、外観上矩形に形成されている。もちろん、座板７の形状に関しては限定事項ではなく、丸座、長座等任意の形状に形成することができる。
【００３９】
座板７の大きさに関しては、望ましくは、本実施例の操作部材は、ノブ形式、或はレバーハンドル形式、或はまたプッシュ・プル形式ではなく、摘み板スライド方式なので、一般に良く見受けられる室内引戸のフランジを有する引手の大きさ程度に形成すべきである。
【００４０】
例えば図６で示すように、座板７の中央部に矩形状の案内開口５１が形成されている。この案内開口５１は、断面段差部分７ａの箇所であり、該断面段差部分７ａを基準して、座板７の裏面側には、前記案内開口５１に連通すると共に操作部材８を嵌め込むための裏側収納開口５２が形成され、一方、座板７の表側には、前記案内開口５１に連通する表側収納開口５３が形成されている。なお、前記表側収納開口５３は左右方向に外広がりの開口となっている。
【００４１】
また、座板７の裏側には、固定手段用の取付け孔、摘み板抜け防止用の裏板（取付け支持板）７１を固定するための取付け孔等が形成されている。すなわち、図７を参照にすると、符号５４は座板７の裏面中央部の上下部にそれぞれ形成され、かつ固定手段５７としての取付け柱５８のオネジ部が螺合する第１取付け孔、符号５５は前記第１取付け孔５４の左右にそれぞれ形成された前記裏板７１用の第２取付け孔である。
【００４２】
さらに、座板７の裏面の四隅には、前記裏板７１が嵌合する弧状の支持突起５６が合計４つ設けられている。なお、裏板７１には、操作部材８をスライドした所定位置でロックするためのロック手段用のロック穴（係合孔）が形成されており、操作部材８用のロック手段は、本発明の特別に技術的特徴なので、後に複数個の実施例と共に詳細に説明する。
【００４３】
ところで、ここで室内側の座板７Ａの第１取付け孔５４Ａについて付言すると、座板７Ａの第１取付け孔５４Ａは、固定手段５７を構成する固着具５９用の貫通孔等である点で、室外側の第１取付け孔５４とは相違する。また、図６で示すように、外内の座板７，７Ａを一体的に連結する固定手段５７は、一端部に座板７の第１取付け孔５４に螺合する螺合部を有すると共に、その他端部が座板７Ａの第１取付け孔５４Ａに嵌入しかつ端面から内部に深いメネジを有する取付け柱５８と、座板７Ａの第１取付け孔５４Ａの外側から差し込まれオネジ５９とから構成されている。
【００４４】
次に、例えば図５乃至図８を参照にして操作部材８を説明する。前述したように、本実施例の操作部材８は、ノブ形式、或はレバーハンドル形式、或はまたプッシュ・プル形式ではなく、スライド式摘み板である。そこで、操作部材８は、図５で示すように横断面が横向きＴ字形状に形成され、或は図６で示すように縦断面が横向きハット型形状に形成されている。
【００４５】
したがって、操作部材８は、座板７よりも小型であり、しかも、座板７に形成した案内開口５１にスライド自在に設けられた摘み板８であり、また、摘み板８の裏側に一体的に設けられ或は一体成形された断面Ｌ字形状の挿入駆動片９を有している。
【００４６】
しかして、前記挿入駆動片９は、本実施例では、前記摘み板８の裏側に、その取付け基板９ａが複数本の固着具６０を介して一体的に設けられされ、該取付け基板９ａの一端部から交差（直交）方向に駆動腕９ｂが、前述した錠箱６の貫通窓６ａを通過して、ラッチ用の係止解除機構Ｘを構成する作動レバー部材４０の左側のレバープレート４２を押圧できるように延伸している。
【００４７】
ところで、本実施例の操作部材８は、座板７の裏側から嵌め込まれるが、図６で示すように操作部材８が座板７の案内開口５１に嵌め込まれると、座板７の裏側収納開口５２には摘み板のフランジ状の係合部分８ａがスライド係合するように収納され、一方、座板７の表側収納開口５３には、前記係合部分８ａに連設する摘み板の摘み部分８ｂの一部又は全部（本実施例）が収納される。
【００４８】
付言すると、操作部材８の摘み部分８ｂは、フランジ形式の座板７（７Ａ）の表面から突出しないか、或は設計如何によって摘み部分８ｂを座板７（７Ａ）の表面から若干突出するとしても、従来のノブ、レバーハンドル、プッシュ・プルハンドル等の操作部材のように著しく突出させる必要が全くない。いわば、サムターンのような小型の操作部材８である。
【００４９】
（６）第１実施例の操作部材用のロック手段６１
本発明では、前項で説明した「特別な技術的特徴」に対して、さらに、操作部材用のロック手段６１という構成が加味されている。この第１実施例乃至第４実施例に共通する点は、座板７の裏面には裏板７１が固定的に設けられており、しかも、該裏板７１と前述した操作部材８に亘って操作部材用のロック手段６１が組み込まれている。そこで、まず、第１実施例の操作部材用のロック手段６１の構成を説明する。
【００５０】
例えば図８で示すように、操作部材用のロック手段６１は、操作部材８の裏面中央部から該操作部材８の表面（外面）に向かって水平方向に所要量形成され、かつ奥にバネ端支持面を有する収納穴６２と、この収納穴６２に横状態に内装されたロッキングバネ６３と、該ロッキングバネ６３のバネ力により裏板７１に形成された複数個のロック穴に係脱する球体形状の係合子６４とから成り、前記係合子６４は、操作部材８を指で摘んで直線方向へ操作すると、前記ロック穴に選択的に係合する。第１実施例のロック手段６１は、図５、図６等から明らかなように、クリックバネ６３とクリックボール６４とから成る公知事項であるが、本発明では、裏面に挿入駆動片９を有するスライド式摘み板９と、該スライド式摘み板９の抜け防止機能を有する前記裏板７１に亘って組み込まれている点に特徴がある。なお、特に符号を付さないが、前記収納穴６２の形成部位は、操作部材８の裏面中央部に短筒状に形成され、かつ挿入駆動片９の取付け基板９ａに形成された小嵌合孔に嵌合する突起部分も含む。
【００５１】
図９は裏板７１を錠箱側から見た説明図である。この図９を参照に複数個のロック穴７２について説明する。本実施例では、裏板７１の中央部に小孔状に形成された初期位置用の第１ロック穴７２ａが形成され、この第１ロック穴７２ａを基準にして若干の間隔を有して左右に一対の移動位置用の第２ロック穴７２ｂが形成されている。前記移動位置用の第２ロック穴７２ｂは、座板７，７Ａの両方に使用することができるように左右一対形成されているので、移動位置用の第２ロック穴７２ｂは、一つであっても良い。
【００５２】
前述したように、裏板７１は座板７の四隅に突出形成した弧状の支持突起５６に位置決めされた状態で、かつ図示しない複数本の固着具を介して座板７の裏面に固定されるので、該裏板７１の上下の中央部並びに四隅には固着具用の貫通孔７３、７４が適宜に形成されている。また、裏板７１は挿入駆動片の駆動腕９ｂ用案内切欠７５を有し、挿入駆動片９の駆動腕９ｂは該案内切欠７５を通る。したがって、内外の座板７、７Ａは扉３の内外の壁面に当接する内外の裏板７１及び取付け柱５８を含む固定手段５７を介して一体的に連結される。
【００５３】
図１０は、ラッチ錠のラッチ用の係止解除機構Ｘを、「施錠状態」から「解錠状態」にするために、扉３の壁面側（例えば室外側）から、座板７の表側収納開口５２内に位置している操作部材８の摘み部分８ｂを指で摘み、所定方向（例えば水平方向）へ所要量スライドさせる操作態様を示す。操作部材８を直線方向へと移動させると、図３で示すように、操作部材８の駆動腕９ｂが、係止解除機構Ｘを構成する作動レバー部材４０の左側のレバープレート４２を押圧し、前述したように、手動式でラッチ１０の係止を解除することができる。
【００５４】
しかして、第１実施例の操作部材用のロック手段６１は、単に操作部材８を指で摘んで水平方向へとスライドさせ、ラッチ錠５の施錠状態に相当する初期位置と解錠状態に相当する移動した位置で、操作部材８をそれぞれ係止状態にロックする。
【実施例】
【００５５】
この実施例の欄では、操作部材用のロック手段に関する第２実施例乃至第４実施例を説明する。
（１）第２実施例の操作部材用のロック手段６１Ａ
次に、図１１乃至図１７を参照にして第２実施例を説明する。なお、第２実施例、第３実施例等を説明するにあたって、同一の機能を有する部位や部材には、第１実施例と同一（又は同様）の符号を付して重複する説明を割愛する。また、第３実施例等を説明するにあたって、前記第２実施例と同一の機能を有する部位や部材には、第２実施例と同一（又は同様）の符号を付して重複する説明を割愛する。以下、要点を絞って説明する。
第２実施例の操作部材用のロック手段６１Ａは、操作部材８に形成された断面段差状の貫通収納穴６２に内装されていると共に、その外端部が操作部材８の外面から突出し、一方、その内端部は裏板に形成された互いに連通状態の複数個のロック穴７２に係脱する棒状の係合子６４と、この係合子を常時ロックする状態に付勢するロッキングバネ６３から成り、操作部材８の操作時、前記係合子６４の外端部を前記ロッキングバネ６３のバネ力に抗して押し込むと、係合子６４の内端部と裏板のロック穴７２とのロック状態が解除される。
【００５６】
ここで、図１５及び図１６を参照にすると、操作部材８の中心部に水平方向に形成された断面段差状の貫通収納穴６２は、小径孔６２ａと、該小径孔に連通する大径孔６２ｂとから成る。また、挿入駆動片９の取付け基板９ａに形成された不番の挿通穴は、前記大径孔６２ｂに比してやや小さめに形成され、取付け基板９ａの挿通穴の縁部分でもってロッキングバネ６３の内端を支持させている。また、裏板７１のロック穴７２を構成する初期位置用の第１ロック穴７２ａと移動位置用の第２ロック穴７２ｂは、棒状係合子６４の小径部の通過を許容することができるように互いに連通している。
【００５７】
さらに、棒状係合子６４は、その外端部６４ａ寄りの部位にストッパー機能を有する鍔部６４ｂが周設され、該鍔部６４ｂの裏面にはロッキングバネ６３の外端が圧接する。該棒状係合子６４は、鍔部６４ｂを基準にすると、ロッキングバネ６３が巻装される大径部６４ｃ、該大径部６４ｃに連設する小径部６４ｄ、そして、該小径部６４ｄに連結すると共に、裏板７１のロック穴７２に係脱する内端部６４ｅへと一連に続く。
【００５８】
しかして、第２実施例の操作部材用のロック手段６１Ａは、単に操作部材８を指で摘んでそのまま水平方向へとスライドさせることはできず、図１３で示すように棒状係合子６４の外端部６４ａをロッキングバネ６３のバネ力に抗して、その内端部６４ｅと裏板７１のロック穴７２との係合関係を解き、その状態で操作部材８を平方向へとスライドさせる。そうすると、図１７で示すように、操作部材８は初期位置用の第１ロック穴７２ａから移動位置用の第２ロック穴７２ｂへと移動し、操作部材用のロック手段６１は、移動した位置で操作部材８を係止状態にロックする。
【００５９】
（２）第３実施例の操作部材用のロック手段６１Ｂ
次に、図１８乃至図２４を参照にして第３実施例を説明する。第３実施例の操作部材用のロック手段６１Ｂは、操作部材８の交差状態に貫通形成された収納穴６２に内装されていると共に、その外端部６４ａが前記収納穴６２内に位置し、一方、その内端部は裏板に形成された互いに連通状態の複数個のロック穴７２に係脱する係合子６４と、この係合子６４を常時ロックする状態に付勢するロッキングバネ６３と、前記外端部を押し込むことができるように操作部材８に軸支された操作レバー６５とから成り、操作部材８の操作時、前記操作レバー６５の操作部材８から見える露出端部を、前記ロッキングバネ６３のバネ力に抗して指で押し込むと、係合子６４の内端部と裏板７１のロック穴７２とのロック状態が解除される。
【００６０】
ここで、図１９及び図２２を参照にして説明すると、操作部材８の中心部の交差状態に形成された貫通収納穴６２は、一応、水平方向収納部６２ａと、これに連通する垂直方向収納部６２ｂに区分することができ、前記水平方向収納部６２ａには、長さ、外観形状、寸法等は第２実施例の棒状係合子とは相違するものの、第２実施例の棒状係合子と実質的に同一の棒状係合子６４がロッキングバネ６３のバネ力に抗して裏板７１側へと後退動することができるように組み込まれ、一方、前記垂直方向収納部６２ｂには、支軸６６を介して横Ｔ字形状の操作レバー６５が所要量揺動できるように組み込まれている。
しかして、前記操作レバー６５の内端部に相当する指先状の先端部は、操作部材８の貫通収納穴６２の内壁面に支持された状態で棒状係合子６４の尖端状外端部６４ａに当接し、一方、記操作レバー６５の外端部に相当する操作部材８から見える露出端部（尻部）は、座板７の表側収納開口５３に若干食み出している。
【００６１】
しかして、第３実施例の操作部材用のロック手段６１Ｂも、第２実施例のロック手段６１Ａと同様、単に操作部材８を指で摘んでそのまま水平方向へとスライドさせることはできず、図２２の矢印で示すように操作レバー６５を介して棒状係合子６４の外端部６４ａをロッキングバネ６３のバネ力に抗して、その内端部６４ｅと裏板７１のロック穴７２との係合関係を解き、その状態で操作部材８をスライドさせる。そうすると、図２４で示すように、操作部材８は初期位置用の第１ロック穴７２ａから移動位置用の第２ロック穴７２ｂへと移動し、操作部材用のロック手段６１は、移動した位置で操作部材８を係止状態にロックする。
【００６２】
（３）第４実施例の操作部材用のロック手段６１Ｃ
次に、図２５乃至図３３を参照にして第４実施例の操作部材用のロック手段６１Ｃを説明する。第４実施例の操作部材用のロック手段６１は、操作部材８に形成された貫通状の収納穴６２に進退動自在に内装されていると共に、その外端部が前記貫通状収納穴６２の奥の内壁に圧接するように位置し、一方、その内端部は裏板７１に形成された互いに連通状態の複数個のロック穴７２に係脱する係合子６４と、この係合子を常時ロックする状態に付勢するロッキングバネ６３とから成り、操作部材８の操作時、前記係合子の操作部材から見える露出端部を前記ロッキングバネ６３のバネ力に抗して押し込むと、係合子６４の内端部と裏板７１のロック穴７２とのロック状態が解除される。
【００６３】
この第４実施例の操作部材用のロック手段６１Ｃは、実質的には第２実施例と同一である。ただし、第２実施例と相違する点は、係合子６４が棒状体ではなく、図３１で示すように、外端部６４ａ側の内面が外向きコ字形状に形成され、このコ字形状の被嵌合部分の裏面中央部に挿入駆動片９の取付け基板９ａの挿通穴に嵌脱する大径部６４ｃが形成されている点、図３２で示すように係合子６４の前記コ字形状の被嵌合部分は操作部材８の貫通状の収納穴６２に内側から入れ子方式で嵌め込まれ、かつその対向外端部６４ａは摘み部分８ｂの根元部分をサンドイッチ状に挟むように外部に露出している点である。
【００６４】
そして、ロッキングバネ６３は、係合子６４の被嵌合部分の内側に適宜に周設した不番の環状溝内に嵌め込まれ、係合子６４を常に外方向へと付勢している。なお、図３１に於いて、対向外端部６４ａを含む被嵌合部分の裏面中央部には、前述したように大径部６４ｃが形成されているが、該大径部６４ｃには、裏板７１のロック穴７２の方向へと小径部６４ｄ及び内端部６４ｅが連設している点は、第２実施例の棒状係合子６４と同様である。
【００６５】
この第４実施例の操作部材用のロック手段６１Ｃは、例えば親指と人差し指で操作部材８の摘み部分８ｂを摘む際に、これらの指で入れ子方式係合子６４の左右の対向外端部６４ａを押し込むと、その内端部６４ｅと裏板７１のロック穴７２との係合関係を解きことができ、その状態で操作部材８をスライドさせる。そうすると、図３３で示すように、操作部材８は初期位置用の第１ロック穴７２ａから移動位置用の第２ロック穴７２ｂへと移動し、操作部材用のロック手段６１は、移動した位置で操作部材８を係止状態にロックする。
【００６６】
なお、本発明の各実施例に於いて、操作部材８の摘み部分８ｂは、フランジ形式の座板７（７Ａ）の表面から全く突出しないが、発明の目的を逸脱しない範囲内で、摘み部分８ｂを座板７（７Ａ）の表面から若干突出するにしても良い。
【産業上の利用可能性】
【００６７】
本発明は、主に建具や錠前の業界で利用される。
【図面の簡単な説明】
【００６８】
図１乃至図１０は本発明の第１実施例を示す各説明図。図１１乃至図１７は本発明の第２実施例を示す各説明図。図１８乃至図２４は本発明の第３実施例を示す各説明図。図２５乃至図３３は本発明の第４実施例を示す各説明図。
【図１】発明の実施の環境を示す概略説明図。
【図２】電気式のラッチ錠５の一例を示す概略説明図。
【図３】手動式のラッチ錠５の一例を示す概略説明図。
【図４】図１の主要部を拡大した正面図。
【図５】図４の５−５線断面概略説明図。
【図６】図４の６−６線断面概略説明図。
【図７】操作部材並びに挿入駆動片を備えた座板の背面からの説明図。
【図８】操作部材用のロック手段６１の概略説明図。
【図９】裏板の説明図。
【図１０】操作部材を所定方向に操作した時の説明図（施錠状態から解錠状態）。
【図１１】第２実施例の主要部を拡大した正面図（図４と同様）。
【図１２】図１１の１２−１２線断面概略説明図。
【図１３】図１１の１３−１３線断面概略説明図。
【図１４】操作部材並びに挿入駆動片を備えた座板の背面からの説明図。
【図１５】操作部材用のロック手段６１Ａの概略説明図。
【図１６】裏板の説明図。
【図１７】操作部材を所定方向に操作した時の説明図（施錠状態から解錠状態）。
【図１８】第３実施例の主要部を拡大した正面図（図４と同様）。
【図１９】図１８の１９−１９線断面概略説明図。
【図２０】図１８の２０−２０線断面概略説明図。
【図２１】操作部材並びに挿入駆動片を備えた座板の背面からの説明図。
【図２２】操作部材用のロック手段６１Ｂの概略説明図。
【図２３】裏板の説明図。
【図２４】操作部材を所定方向に操作した時の説明図（施錠状態から解錠状態）。
【図２５】第４実施例の主要部を拡大した正面図（図４と同様）。
【図２６】図２５の２６−２６線断面概略説明図。
【図２７】図２５の２７−２７線断面概略説明図。
【図２８】操作部材並びに挿入駆動片を備えた座板の背面からの説明図。
【図２９】操作部材用のロック手段６１Ｃの概略説明図。
【図３０】裏板の説明図。
【図３１】入れ子式係合子の説明図。
【図３２】操作部材と入れ子式係合子の説明図。
【図３３】操作部材を所定方向に操作した時の説明図（施錠状態から解錠状態）
【符号の説明】
【００６９】
Ｘ…ラッチ用の係止解除機構、1…扉枠、２…受け具、３…建具としての扉、５…ラッチ錠、６…錠箱、６ａ…貫通窓、７、７Ａ…座板、７ａ…断面段差部分、８…操作部材（摘み板）、８ａ…フランジ状の係合部分、８ｂ…摘み部分、９…挿入駆動片、１０…ラッチ、１１…ラッチ用支持枠、１２…切欠部、１５…電気式駆動源、１７…作動杆、１８…バネ、２０…制御部材、２５…中間部、２６…枢支軸、２７…固定軸（横軸）、３０…ラッチ用係合部材、３１…アングル状の受け壁、３２…ストッパー部、３５…従動係合片用の固定軸、３６…従動係合片、４０…作動レバー部材、４１…支軸、４２…レバープレート、５０…扉の切欠開口、５１…案内開口、５２…裏側収納開口、５３…表側収納開口、５４，５４Ａ…第１取付け孔、５５…、第２取付け孔、５６…支持突起、５７…固定手段、６０…固着具、６１、６１Ａ〜６１Ｃ…操作部材用のロック手段、６２…収納穴、６３…ロックバネ、６４…係合子、６５…操作レバー、６６…支軸、７１…裏板、７２…ロック穴、７５…案内切欠。
【図１】
2009209638.tif 000003
【図２】
2009209638.tif 000004
【図３】
2009209638.tif 000005
【図４】
2009209638.tif 000006
【図５】
2009209638.tif 000007
【図６】
2009209638.tif 000008
【図７】
2009209638.tif 000009
【図８】
2009209638.tif 000010
【図９】
2009209638.tif 000011
【図１０】
2009209638.tif 000012
【図１１】
2009209638.tif 000013
【図１２】
2009209638.tif 000014
【図１３】
2009209638.tif 000015
【図１４】
2009209638.tif 000016
【図１５】
2009209638.tif 000017
【図１６】
2009209638.tif 000018
【図１７】
2009209638.tif 000019
【図１８】
2009209638.tif 000020
【図１９】
2009209638.tif 000021
【図２０】
2009209638.tif 000022
【図２１】
2009209638.tif 000023
【図２２】
2009209638.tif 000024
【図２３】
2009209638.tif 000025
【図２４】
2009209638.tif 000026
【図２５】
2009209638.tif 000027
【図２６】
2009209638.tif 000028
【図２７】
2009209638.tif 000029
【図２８】
2009209638.tif 000030
【図２９】
2009209638.tif 000031
【図３０】
2009209638.tif 000032
【図３１】
2009209638.tif 000033
【図３２】
2009209638.tif 000034
【図３３】
2009209638.tif 000035